(57)【要約】    【課題】  コスト高を招来することなく、故人を偲ばせ、会葬者をなごませることができるようにした葬儀用祭壇を提供する。    【解決手段】  祭壇の背後に故人を偲ばせる背景又は会葬者をなごませる背景を設けるようにした葬儀用祭壇において、祭壇（１４、２４）の背後に吊り下げられたスクリーン（２０）と、故人を偲ばせる画像又は会葬者をなごませる画像を上記スクリーン（２０）に拡大して投影する投影機（２１）と、を備える。  複数の投影機を横幅方向に間隔をあけて設け、複数の各投影機によって故人を偲ばせる画像又は会葬者をなごませる画像を分割した部分画像をスクリーンに拡大して投影することによって１つの背景を構成するのがよい。【選択図】  図１
2011161088.tif 000002
【特許請求の範囲】
【請求項１】
祭壇の背後に故人を偲ばせる背景又は会葬者をなごませる背景を設けるようにした葬儀用祭壇において、
祭壇（１４、２４）の背後に吊り下げられたスクリーン（２０）と、
故人を偲ばせる画像又は会葬者をなごませる画像を上記スクリーン（２０）に拡大して投影する投影機（２１）と、
を備えたことを特徴とする葬儀用祭壇。
【請求項２】
上記スクリーン（２０）が祭壇（１４、２４）全幅にわたる横幅を有する請求項１記載の葬儀用祭壇。
【請求項３】
複数の上記投影機（２１）が横幅方向に間隔をあけて設けられ、上記複数の各投影機（２１）が故人を偲ばせる画像又は会葬者をなごませる画像を分割した部分画像を上記スクリーン（２０）に拡大して投影することによって１つの背景を構成するようになっている請求項１記載の葬儀用祭壇。
【請求項４】
上記投影機（２１）が天井側に設けられ、該投影機（２１）を会葬者から隠す目隠し幕（２２）が天井から吊り下げられている請求項１記載の葬儀用祭壇。
【請求項５】
上記故人を偲ばせる背景画像又は会葬者をなごませる画像が予め準備された複数の画像から遺族によって選択されたものである請求項１記載の葬儀用祭壇。
【請求項６】
上記祭壇が花祭壇（１４，２４）である請求項１記載の葬儀用祭壇。
【発明の詳細な説明】
【技術分野】
【０００１】
本発明は葬儀用祭壇に関し、特にコスト高を招来することなく、遺族や会葬者に故人を偲ばせ、会葬者をなごませることができるようにした祭壇に関する。
【背景技術】
【０００２】
葬儀用祭壇には一般的に白木祭壇と花祭壇とがある。白木祭壇は白木造りの祭壇の中央に遺影写真を置き、左右に生花などを飾った祭壇であり、花祭壇は白木祭壇を用いずに遺影写真の回りに多数の生花を飾った祭壇である。
【０００３】
最近、葬儀の荘厳さを損なうことなく、会葬者に故人を偲ばせあるいは会葬者をなごませるような雰囲気が求められている。
【０００４】
そこで、故人に縁のある風景や物の画像あるいは会葬者をなごませる風景や物の画像をデジタル処理し、シートに拡大プリントして遺影の背景を飾るようにした葬儀用祭壇が提案されている（特許文献１）。
【先行技術文献】
【特許文献】
【０００５】
【特許文献１】特開２００１−３２７３９３号公報
【発明の開示】
【発明が解決しようとする課題】
【０００６】
しかし、上記従来の葬儀用祭壇では祭壇の背景が広く、葬儀の荘厳さを損なわないような画質で拡大プリントするためには画像のデジタル処理が非常に煩わしいこと、又葬儀が終了すると、拡大プリントしたシートを廃棄しなければならないことなどから、コスト高になるという問題があった。
【０００７】
本発明はかかる問題点に鑑み、コスト高を招来することなく、会葬者に故人を偲ばせ、会葬者をなごませることができるようにした葬儀用祭壇を提供することを課題とする。
【課題を解決するための手段】
【０００８】
そこで、本発明に係る葬儀用祭壇は、祭壇の背後に故人を偲ばせる背景又は会葬者をなごませる背景を設けるようにした葬儀用祭壇において、祭壇の背後に吊り下げられたスクリーンと、故人を偲ばせる画像又は会葬者をなごませる画像を上記スクリーンに拡大して投影する投影機と、を備えたことを特徴とする。
【０００９】
本発明の特徴は投影機によって祭壇の背景を構成するようにした点にある。これにより、投影すべき画像を精密に作成しておけば、高い画質で背景を形成することができるので、葬儀の荘厳さを損なうことがなく、遺族や会葬者に故人を偲ばせ、会葬者をなごませることができる雰囲気を容易につくることができる。しかも、葬儀の終了後に背景のスクリーンを廃棄する必要がないので、コスト高を招来することもない。
【００１０】
スクリーンは祭壇の背景に設けられていれば大きさは特に限定されないが、祭壇の全背景を飾ることができるように、祭壇全幅を越える横幅を有するスクリーンを用いるのが好ましい。
【００１１】
投影機は１台でもよいが、会館などの祭壇は横幅が大きく、スクリーンの横幅も大きいので、１台の投影機では画像をカバーしきれない。そこで、複数の投影機を横幅方向に間隔をあけて設け、複数の各投影機によって故人を偲ばせる画像又は会葬者をなごませる画像を分割した部分画像をスクリーンに拡大して投影させることによって１つの背景を構成するのがよい。
【００１２】
投影機は床面又は床面近くに設けてもよいが、会葬者から投影機が見えてしまうおそれがある。そこで、投影機を天井側（天井又は天井近く）に設けるとともに、投影機を会葬者から隠す目隠し幕を天井から吊り下げるようにするのがよい。
【００１３】
故人を偲ばせる画像又は会葬者をなごませる画像は葬儀毎に故人に合わせ遺族の要望に応じて作成してもよいが、適切な画像を予め複数準備しておき、遺族によって選択された画像を使用するようにすると、更に低コスト化を実現できる。
【００１４】
祭壇は花祭壇であってもよく、白木祭壇であってもよい。
【図面の簡単な説明】
【００１５】
【図１】本発明に係る葬儀用祭壇の好ましい実施形態を示す概略図である。
【図２】上記実施形態を示す平面構成図である。
【図３】上記実施形態を示す側面構成図である。
【図４】第２の実施形態を示す概略図である。
【発明を実施するための形態】
【００１６】
以下、本発明を図に示す具体例に基づいて詳細に説明する。図１ないし図３は本発明に係る葬儀用祭壇の好ましい実施形態を示し、これは花祭壇に適用した例である。図において、会館内の舞台１０上には中央にスタンド１１によって遺影写真１２が飾られ、遺影写真１２の回りには多数の生花１３が飾られて花祭壇１４がつくられている。
【００１７】
また、舞台１０の上には葬儀用具足が並べられ、舞台１０の前方には椅子１５及び焼香台１６が置かれ、焼香台１６上には複数の香炉１７が並べられている。
【００１８】
花祭壇１４の背後にはスクリーン２０が天井から吊り下げられている。このスクリーン２０は花祭壇１４の幅方向の全幅を越える横幅と、舞台１０の床面から所定高さの位置から天井近くまでの高さを有し、花祭壇１４の背後を覆うようになっている。
【００１９】
また、舞台１０の天井には３台の投影機２１が横幅方向に間隔をあけかつスクリーン２０を指向して取付けられ、投影機２１の前方には目隠し幕２２が吊り下げられ、会葬者から投影機２１を隠すようになっている。
【００２０】
投影機２１には故人を偲ばせる画像、あるいは会葬者をなごませる画像が入力され、スクリーン２０に画像を拡大投影して背景を構成するようになっている。この画像は予め準備された複数の中から遺族が選択した画像が用いられている。例えば、図１に示される花祭壇１４と異なる花祭壇、例えば図４に示される花祭壇２４とすることもできる。
【００２１】
また、３台の投影機２１は故人を偲ばせる画像、あるいは会葬者をなごませる画像を３つに分割した部分画像が入力され、３つの部分画像によって１つの連続した背景が形成されるようになっている。
【００２２】
本例の花祭壇では遺影の背後に、遺族が選んだ背景が形成されているので、遺族や会葬者に故人を偲ばせ、あるいは会葬者をなごませることができる。
【００２３】
また、投影機２１によって画像を拡大して投影することによって背景を形成しているので、拡大プリントによって背景を形成する場合に比して作業が容易であり、コスト高を招来することもない。
【００２４】
さらに、拡大プリントによって背景を形成する場合のように葬儀の終了後に廃棄する必要がなく、スクリーン２０を何度でも使用でき、これによってもコスト高を招来することがない。
【００２５】
なお、上記の例では花祭壇の場合について説明したが、本発明は白木祭壇にも同様に適用できる。
【符号の説明】
【００２６】
１２      遺影                  １３      生花
１４、２４      花祭壇
２０      スクリーン            ２１      投影機
２２      目隠し幕
【図１】
2011161088.tif 000003
【図２】
2011161088.tif 000004
【図３】
2011161088.tif 000005
【図４】
2011161088.tif 000006